(57)【要約】【課題】部品点数を抑えつつ、丁番の見付け方向の位置ずれを抑制した開閉可能な建具を提供する。【解決手段】建具は、丁番は、吊元側の枠に設けられた第一丁番部５０と、吊元側の框２２に設けられた第二丁番部２２と、を有し、第一丁番部５０は、吊元側の枠に固定される固定部５１と、障子の見付け方向に延びる軸部５４と、軸部５４の外周面に沿って、見付け方向の一部の領域に形成された貫通孔５６と、を有し、第二丁番部２２は、吊元側の框と一体に形成された本体部３１と、本体部３１に設けられ、見付け方向に延び、貫通孔５６に係合されるとともに軸部５４に回動可能に支持された係合部３２と、を有し、係合部３２の見付け方向の所定領域にわたって切り欠かれた切欠き部３５に、軸部５４の一部の領域以外の他の領域５７が嵌め込まれていることを特徴とする。【選択図】図４
2018003488.tif 000002
【特許請求の範囲】
【請求項１】
四方枠状に形成された枠体と、
該枠体内に納められた障子と、
前記枠体の吊元側の枠と前記障子の吊元側の框とを連結する丁番と、を備えた建具であって、
前記丁番は、
前記吊元側の枠に設けられた第一丁番部と、
前記吊元側の框に設けられた第二丁番部と、を有し、
前記第一丁番部は、
前記吊元側の枠に固定される固定部と、
前記障子の見付け方向に延びる軸部と、
該軸部の外周面に沿って、前記見付け方向の一部の領域に形成された貫通孔と、を有し、
前記第二丁番部は、
前記吊元側の框と一体に形成された本体部と、
前記本体部に設けられ、前記見付け方向に延び、前記貫通孔に係合されるとともに前記軸部に回動可能に支持された係合部と、を有し、
該係合部の前記見付け方向の所定領域にわたって切り欠かれた切欠き部に、前記軸部の前記一部の領域以外の他の領域が嵌め込まれていることを特徴とする建具。
【請求項２】
前記軸部の前記他の領域の前記見付け方向の長さは、前記切欠き部の前記見付け方向の長さと略同一である請求項１に記載の建具。
【請求項３】
前記係合部は、前記軸部に対して１８０°以上係合している請求項１または２に記載の建具。
【請求項４】
前記障子が開いた状態において、
前記係合部の先端部は、前記貫通孔内に配置されている請求項１から３のいずれか一項に記載の建具。
【請求項５】
前記丁番が前記枠体の下枠に連結された外倒し窓である請求項１から４のいずれか一項に記載の建具。
【発明の詳細な説明】
【技術分野】
【０００１】
本発明は、建築物の開口部に設置される建具に関する。
【背景技術】
【０００２】
従来から、建築物の開口部に設置された枠に対して丁番を介して、障子が開閉可能に設けられた建具が知られている。例えば特許文献１に記載のように、下枠に取り付けられた丁番に、障子の下框に設けられた嵌合部が回動可能に嵌合された建具が提案されている。
【先行技術文献】
【特許文献】
【０００３】
【特許文献１】特許第５５５８９８４号公報
【発明の概要】
【発明が解決しようとする課題】
【０００４】
上記の特許文献１に記載の建具では、下框の見付け方向に沿って配置された丁番の両側、つまり竪框の下端部には、丁番の見付け方向の位置ずれを防止する端部キャップが設けられている。よって、丁番の見付け方向の位置ずれを防止するための部材が必要となり、部品点数が多くなるという問題点がある。
【０００５】
そこで、本発明は、上記事情に鑑みてなされたものであり、部品点数を抑えつつ、丁番の見付け方向の位置ずれを抑制した開閉可能な建具を提供する。
【課題を解決するための手段】
【０００６】
上記目的を達成するために、本発明は以下の手段を採用している。
すなわち、本発明に係る建具は、四方枠状に形成された枠体と、該枠体内に納められた障子と、前記枠体の吊元側の枠と前記障子の吊元側の框とを連結する丁番と、を備えた建具であって、前記丁番は、前記吊元側の枠に設けられた第一丁番部と、前記吊元側の框に設けられた第二丁番部と、を有し、前記第一丁番部は、前記吊元側の枠に固定される固定部と、前記障子の見付け方向に延びる軸部と、該軸部の外周面に沿って、前記見付け方向の一部の領域に形成された貫通孔と、を有し、前記第二丁番部は、前記吊元側の框と一体に形成された本体部と、前記本体部に設けられ、前記見付け方向に延び、前記貫通孔に係合されるとともに前記軸部に回動可能に支持された係合部と、を有し、該係合部の前記見付け方向の所定領域にわたって切り欠かれた切欠き部に、前記軸部の前記一部の領域以外の他の領域が嵌め込まれていることを特徴とする。
【０００７】
このように構成された建具では、第二丁番部の係合部は第一丁番部の軸部に対して回動可能に支持されるとともに、第一丁番部の貫通孔に係合されている。よって、第二丁番部が設けられた障子は、枠に設けられた第一丁番部の軸部に係合した状態で、開閉する。
また、障子の係合部には見付け方向の所定領域にわたって切り欠かれた切欠き部が形成されており、切欠き部には第一丁番部の軸部の他の領域が嵌め込まれている。よって、第一丁番部の軸部と框との見付け方向の相対移動が規制されるため、障子が第一丁番部の連結された枠に対して見付け方向に位置ずれすることが抑制される。したがって、位置ずれを防止するための部材を別途設ける必要がないため、部品点数を抑制することができる。
【０００８】
また、本発明に係る建具は、前記軸部の前記他の領域の前記見付け方向の長さは、前記切欠き部の前記見付け方向の長さと略同一であることが好ましい。
【０００９】
このように構成された建具では、切欠き部に嵌合される軸部の他の領域の見付け方向の長さを切欠き部の見付け方向の長さと略同一とすることで、第一丁番部の軸部は框の切欠き部内で見付け方向への移動が規制されるため、第一丁番部の軸部と框との見付け方向の相対移動が規制される。
【００１０】
また、本発明に係る建具は、前記係合部は、前記軸部に対して１８０°以上係合していてもよい。
【００１１】
このように構成された建具では、框の係合部は第一丁番部の軸部に対して１８０°以上係合しているため、障子が開いた状態でも、障子が枠から外れることが一層抑制される。また、障子が枠から外れることを防止するための突起や部品等を設ける必要がないため、簡易な構成とすることができる。
【００１２】
また、本発明に係る建具は、前記障子が開いた状態において、前記係合部の先端部は、前記貫通孔内に配置されていてもよい。
【００１３】
このように構成された建具では、障子が開いた状態において、障子の係合部の先端部は貫通孔内に配置されている。よって、障子が開いた状態において、障子が第一丁番部の連結された枠体から外れることが抑制される。
【００１４】
また、本発明に係る建具は、前記丁番が前記枠体の下枠に連結された外倒し窓であってもよい。
【００１５】
このように構成された建具では、丁番が枠体の下枠に連結された外倒し窓において、部品点数を抑えつつ、丁番の見付け方向の位置ずれを抑制することができる。
【発明の効果】
【００１６】
本発明に係る建具によれば、部品点数を抑えつつ、丁番の見付け方向の位置ずれを抑制して開閉可能とすることができる。
【図面の簡単な説明】
【００１７】
【図１】本発明の一実施形態に係る建具を屋外側から見た正面図である。
【図２】本発明の一実施形態に係る建具の外倒し窓が閉じた状態における要部の縦断面図である。
【図３】本発明の一実施形態に係る建具の外倒し窓が開いた状態における要部の縦断面図である。
【図４】本発明の一実施形態に係る建具の外倒し窓の下框と丁番との取付構造を説明するための斜視図であり、外倒し窓が開いた状態を上から見た図である。
【図５】本発明の一実施形態に係る建具の外倒し窓の下框と丁番との取付構造を説明するための図であり、外倒し窓が閉じた状態を下から見た分解斜視図である。
【図６】本発明の一実施形態に係る建具の外倒し窓の下框と丁番との取付構造を説明するための図であり、外倒し窓が閉じた状態を示している。
【図７】本発明の一実施形態の変形例１に係る建具の外倒し窓の下框と丁番との取付構造を説明するための図であり、外倒し窓が閉じた状態を下から見た分解斜視図である。
【図８】本発明の一実施形態の変形例１に係る建具の外倒し窓の下框と丁番との取付構造を説明するための図であり、外倒し窓が閉じた状態を示している。
【図９】本発明の一実施形態の変形例２に係る建具の外倒し窓の下框と丁番との取付構造を説明するための分解した図であり、外倒し窓が閉じた状態を示している。
【図１０】本発明の一実施形態の変形例２に係る建具の外倒し窓の下框と丁番との取付構造を説明するための図であり、外倒し窓が閉じた状態を示している。
【図１１】本発明の一実施形態の変形例３に係る建具の外倒し窓の下框と丁番との取付構造を説明するための分解した図であり、外倒し窓が閉じた状態を示している。
【図１２】本発明の一実施形態の変形例３に係る建具の外倒し窓の下框と丁番との取付構造を説明するための図であり、外倒し窓が閉じた状態を示している。
【発明を実施するための形態】
【００１８】
以下、本発明の一実施形態に係る建具について、図１から図６を用いて説明する。本実施形態では、建築物の開口部に設けられる建具の一例として、上側に外倒し窓、下側にＦＩＸ窓（嵌め殺し窓）を配置された段窓について説明する。
図１は、本発明の一実施形態に係る建具を屋外側から見た正面図である。
図１に示すように、段窓１００は、四方枠状に形成された枠体１と、枠体１内の上側に配置された外倒し窓（障子）２と、枠体１内で外倒し窓２の下方に配置されたＦＩＸ窓７と、を備えている。
なお、以下の説明において、段窓１００の正面視における上下方向及び左右方向が見付け方向に相当する。また、段窓１００の厚み方向が見込み方向に相当する。
【００１９】
枠体１は、水平方向に延在する上枠１１と、水平方向に延在し上枠１１の下方に配置された中間枠（吊元側の枠、下枠）１２と、水平方向に延在し中間枠１２の下方に配置された下枠１４と、上枠１１の両端部、中間枠１２の両端部及び下枠１４の両端部をそれぞれ連結し上下方向に延在する縦枠１５と、を有している。
【００２０】
図２は、外倒し窓２が閉じた状態における段窓１００の要部の縦断面図である。図３は、外倒し窓２が開いた状態における段窓１００の要部の縦断面図である。
図２に示すように、中間枠１２は、外倒し窓２の下方に配置された中間枠板部１３を有している。
【００２１】
図１に示すように、外倒し窓２は、枠体１の上枠１１、中間枠１２及び一対の縦枠１５により形成された四方枠内に納められている。外倒し窓２は、丁番（第一丁番部）５０を介して中間枠１２に取り付けられ、上側が屋外側に向かって開くように開閉可能とされている。外倒し窓２は、四方枠状に形成された框体２０と、框体２０内に納められた例えばペアガラス等の複層ガラス６０と、を有している。
【００２２】
框体２０は、水平方向に延在する上框２１と、水平方向に延在し上框２１の下方に配置された下框（吊元側の框、第二丁番部）２２と、上框２１の両端部及び下框２２の両端部をそれぞれ連結し上下方向に延在する縦框２３と、を有している。
【００２３】
図２に示すように、下框２２は、複層ガラス６０の下方に配置された下板部（本体部）３１と、下板部３１の下面の屋外側の端部に設けられた丁番係合部（係合部）３２と、下板部３１の屋内側の端部から立設され、複層ガラス６０の屋内側に当該複層ガラス６０と隙間を有して配置された屋内側板部３６と、屋内側板部３６の上端部から屋内側に延びる上板部３７と、を有している。
【００２４】
下板部３１の上面には、下方に向かって凹む係合溝３８が形成されている。複層ガラス６０の屋外側には、当該複層ガラス６０と隙間を有して配置され屋外側板部３９が配置されている。屋外側板部３９の下端部は、下板部３１の係合溝３８に係合されている。
【００２５】
屋外側板部３９、下框２２の下板部３１及び屋内側板部３６により、見込み方向に沿う断面においてＵ字状をなすガラス保持溝４１が形成されている。複層ガラス６０の下端部は、ガラス保持溝４１にシリコン等のシール部材４２により固定されている。
【００２６】
丁番係合部３２は、左右方向に延びている。丁番係合部３２は、見込み方向に沿う断面において円弧状に形成された係合片３３と、係合片３３よりも屋外側に設けられた突起３４と、を有している。係合片３３から突起３４にわたって、内周面は、連続した円弧状をなし、１８０°以上に形成されている。
【００２７】
図４は、外倒し窓２の下框２２と丁番５０との取付構造を説明するための斜視図であり、外倒し窓２が開いた状態を上から見た図である。図５は、外倒し窓２の下框２２と丁番５０との取付構造を説明するための図であり、外倒し窓２が閉じた状態を下から見た分解斜視図である。図６は、外倒し窓２の下框２２と丁番５０との取付構造を説明するための図であり、外倒し窓２が閉じた状態を示している。
図４及び図５に示すように、下框２２の延在方向（左右方向）において、丁番係合部３２は、丁番５０（１個）に対して、２箇所で、左右方向の所定領域にわたって切り欠かれている。換言すると、下框２２には、丁番５０（１個）に対して、丁番係合部３２が設けられていない切欠き部３５が２箇所設けられている。切欠き部３５は、丁番５０の幅方向の両端部に配置されている。
【００２８】
図１に示すように、丁番５０は、外倒し窓２の２箇所に設けられている。図２及び図３に示すように、丁番５０は、中間枠１２の中間枠板部１３に取り付けられる取付部（固定部）５１と、取付部５１の屋外側の端部から上方に立ち上がる段部５２と、段部５２から屋外側に延びる上段部５３と、上段部５３の屋外側の端部に設けられ見込み方向に沿う断面が円形をなし左右方向に延びる軸部５４と、を有している。
本実施形態では、約１６００ｍｍ幅の外倒し窓２に対して、幅（外倒し窓２の左右方向の長さ）が約１５０ｍｍ、板厚が約２．５ｍｍの丁番５０が２箇所に設けられ、アルミニウム等の金属部材により構成されている。
【００２９】
取付部５１には、取付孔５１Ｘ（図２参照）が設けられている。取付孔５１Ｘに挿通された螺子５１Ｚが、高さ調整のためのスペーサー５５を貫通して中間枠１２の中間枠板部１３に螺合されている。
【００３０】
丁番５０の幅方向（外倒し窓２の左右方向）の中央の一部の領域には、上段部５３から軸部５４の屋内側にわたって、板厚方向（上下方向）に貫通する貫通孔５６が設けられている。
【００３１】
貫通孔５６には、下框２２の係合片３３が係合されている。丁番５０における貫通孔５６の左右両側の部分である嵌合部５７（軸部５４の一部以外の他の領域）の長さ（外倒し窓２の左右方向の長さ）は、下框２２の切欠き部３５の長さ（外倒し窓２の左右方向の長さ）と略同一または僅かに短い。このため、丁番５０の嵌合部５７は、下框２２の切欠き部３５に嵌め込まれており、嵌合部５７の端面が切欠き部３５の端面に当接または僅かに隙間を有して配置されている。これにより、外倒し窓は丁番５０が取り付けられた中間枠１２に対して左右方向の移動が規制されている。
【００３２】
図２に示すように、軸部５４は、下框２２の係合片３３及び突起３４の内周面に沿う形状をなしている。軸部５４は外倒し窓２の下框２２の係合片３３及び突起３４に１８０°以上で嵌合されているため、軸部５４が下框２２から外れることが抑制されている。
【００３３】
また、図３に示すように、下框２２、つまり外倒し窓２は、丁番５０の軸部５４を中心に回動可能とされている。外倒し窓２が開いた状態において、係合片３３の先端は、貫通孔５６内に配置されている。
【００３４】
図１に示すように、ＦＩＸ窓７は、中間枠１２、下枠１４及び縦枠１５に嵌め込まれた例えばペアガラス等の複層ガラス７０を有している。
【００３５】
このように構成された段窓１００では、外倒し窓２の丁番係合部３２は丁番５０の軸部５４に対して回動可能に支持されるとともに、丁番５０の貫通孔５６に係合されている。よって、外倒し窓２は丁番５０の軸部５４に係合した状態で、開閉する。
【００３６】
また、外倒し窓２の丁番係合部３２には左右方向の所定領域にわたって切り欠かれた切欠き部３５が形成されており、切欠き部３５には丁番５０の嵌合部５７が嵌め込まれている。よって、丁番５０の軸部５４と下框２２との左右方向の相対移動が規制されるため、外倒し窓２が丁番５０の連結された枠体１に対して左右方向に位置ずれすることが抑制される。したがって、位置ずれを防止するための部材を別途設ける必要がないため、部品点数を抑制することができる。
【００３７】
また、切欠き部３５に嵌合される丁番５０の嵌合部５７の見付け方向の長さを切欠き部３５の見付け方向の長さと略同一とすることで、丁番５０の嵌合部５７は下框２２の切欠き部３５内での左右方向の移動が規制されるため、丁番５０の軸部５４と下框２２との左右方向の相対移動が規制される。
【００３８】
また、下框２２の丁番係合部３２は丁番５０の軸部５４に対して１８０°以上係合しているため、外倒し窓２が開いた状態でも、外倒し窓２が枠から外れることが一層抑制される。また、外倒し窓２が枠から外れることを防止するための突起や部品等を設ける必要がないため、簡易な構成とすることができる。
【００３９】
また、外倒し窓２が開いた状態において、外倒し窓２の係合片３３の先端は貫通孔５６内に配置されている。よって、外倒し窓２が開いた状態において、外倒し窓２が丁番５０の連結された枠体１から外れることが抑制される。
【００４０】
また、丁番５０が枠体１の下方に配置される枠に連結された外倒し窓２において、部品点数を抑えつつ、丁番５０の見付け方向の位置ずれを抑制することができる。
【００４１】
（変形例１）
次に、本発明の一実施形態の変形例１について、主に図７、図８を用いて説明する。なお、下記に示す変形例において、上記に示す実施形態と同一または同様な部分、部材には同一の符号を用いて説明する。
図７は、本発明の一実施形態の変形例１に係る建具の外倒し窓の下框と丁番との取付構造を説明するための図であり、外倒し窓が閉じた状態を下から見た分解斜視図である。図８は、本発明の一実施形態の変形例１に係る建具の外倒し窓の下框と丁番との取付構造を説明するための図であり、外倒し窓が閉じた状態を示している。
上記に示す実施形態では、下框２２には丁番５０（１個）に対して２箇所の切欠き部３５が設けられていて、丁番５０には１箇所の貫通孔５６が設けられているが、図７及び図８に示すように、本変形例では、下框２２には丁番５０（１個）に対して１箇所の切欠き部３５が設けられていて、丁番５０には２箇所の貫通孔５６が設けられている。
【００４２】
丁番５０の上段部５３から軸部５４において、幅方向（外倒し窓２の左右方向）の両側に、それぞれ貫通孔５６が設けられている。貫通孔５６には、下框２２の係合片３３が挿通されている。丁番５０における２箇所の貫通孔５６の間の部分である嵌合部５７の長さ（外倒し窓２の左右方向の長さ）は、下框２２の切欠き部３５の長さ（外倒し窓２の左右方向の長さ）と略同一または僅かに短い。このため、丁番５０の嵌合部５７は下框２２の切欠き部３５に嵌め込まれており、外倒し窓２は丁番５０が取り付けられた中間枠１２に対して左右方向の移動が規制されている。
【００４３】
（変形例２）
次に、本発明の一実地形態の変形例２について、主に図９、図１０を用いて説明する。
図９は、本発明の一実施形態の変形例２に係る建具の外倒し窓の下框と丁番との取付構造を説明するための分解した図であり、外倒し窓が閉じた状態を示している。図１０は、本発明の一実施形態の変形例２に係る建具の外倒し窓の下框と丁番との取付構造を説明するための図であり、外倒し窓が閉じた状態を示している。
上記に示す変形例１では、丁番５０には２箇所の貫通孔５６が設けられているが、図９及び図１０に示すように、本変形例では、丁番５０に設けられている貫通孔５６は１箇所である。
【００４４】
丁番５０の上段部５３から軸部５４において、幅方向（外倒し窓２の左右方向）の一方側に、貫通孔５６が設けられている。貫通孔５６には、下框２２の係合片３３が挿通されている。丁番５０の上段部５３から軸部５４における貫通孔５６が設けられていない部分である嵌合部５７の長さ（外倒し窓２の左右方向の長さ）は、下框２２の切欠き部３５の長さ（外倒し窓２の左右方向の長さ）と略同一または僅かに短い。このため、丁番５０の嵌合部５７は下框２２の切欠き部３５に嵌め込まれており、外倒し窓２は丁番５０が取り付けられた中間枠１２に対して左右方向の移動が規制されている。
【００４５】
（変形例３）
次に、本発明の一実施形態の変形例３について、主に図１１、図１２を用いて説明する。
図１１は、本発明の一実施形態の変形例３に係る建具の外倒し窓の下框と丁番との取付構造を説明するための分解した図であり、外倒し窓が閉じた状態を示している。図１２は、本発明の一実施形態の変形例３に係る建具の外倒し窓の下框と丁番との取付構造を説明するための図であり、外倒し窓が閉じた状態を示している。
上記に示す実施形態では、下框２２には丁番５０（１個）に対して２箇所の切欠き部３５が設けられていて、丁番５０には１箇所の貫通孔５６が設けられているが、図１１及び図１２に示すように、本変形例では、下框２２には丁番５０（１個）に対して３箇所の切欠き部３５が設けられていて、丁番５０には２箇所の貫通孔５６が設けられている。
【００４６】
丁番５０の上段部５３から軸部５４において、幅方向（外倒し窓２の左右方向）に沿って、貫通孔５６が２箇所に設けられている。貫通孔５６には、下框２２の係合片３３が挿通されている。丁番５０の上段部５３から軸部５４における貫通孔５６が設けられていない部分である嵌合部５７の長さ（外倒し窓２の左右方向の長さ）は、下框２２の切欠き部３５の長さ（外倒し窓２の左右方向の長さ）と略同一または僅かに短い。このため、丁番５０の嵌合部５７は下框２２の切欠き部３５に嵌め込まれており、外倒し窓２は丁番５０が取り付けられた中間枠１２に対して左右方向の移動が規制されている。
【００４７】
なお、上述した実施の形態において示した各構成部材の諸形状や組み合わせ等は一例であって、本発明の主旨から逸脱しない範囲において設計要求等に基づき種々変更可能である。
【００４８】
例えば、上記に示す実施形態では、上側に外倒し窓２、下側にＦＩＸ窓７が配置された段窓１００を例に挙げて説明したが、本発明はこれに限られず、下側に縦辷り出し窓等の任意の窓が配置された段窓や、外倒し窓２のみが配置された単窓であってもよい。さらには、丁番５０が窓の下側に設けられ屋内側に開く内倒し窓や、丁番５０が窓の上側に設けられ屋外側に開く突出し窓や、丁番５０が窓の側方に設けられ屋外側に開く外開き窓や、丁番５０が窓の側方に設けられ屋内側に屋内側に開く内開き窓にも適用可能である。
【符号の説明】
【００４９】
１…枠体
２…外倒し窓（障子）
１１…上枠
１２…中間枠（吊元側の枠、下枠）
１４…下枠
１５…縦枠
１３…中間枠板部
２０…框体
２１…上框
２２…下框（吊元側の框、第二丁番部）
２３…縦框
３１…下板部（本体部）
３２…丁番係合部（係合部）
３３…係合片
３４…突起
３５…切欠き部
３６…屋内側板部
３７…上板部
３８…係合溝
３９…屋外側板部
４１…ガラス保持溝
４２…シール部材
５０…丁番（第一丁番部）
５１…取付部（固定部）
５２…段部
５３…上段部
５４…軸部
５１Ｘ…取付孔
５１Ｚ…螺子
５６…貫通孔
５７…嵌合部（軸部の一部以外の他の領域）
６０，７０…複層ガラス
１００…段窓（建具）
【図１】
2018003488.tif 000003
【図２】
2018003488.tif 000004
【図３】
2018003488.tif 000005
【図４】
2018003488.tif 000006
【図５】
2018003488.tif 000007
【図６】
2018003488.tif 000008
【図７】
2018003488.tif 000009
【図８】
2018003488.tif 000010
【図９】
2018003488.tif 000011
【図１０】
2018003488.tif 000012
【図１１】
2018003488.tif 000013
【図１２】
2018003488.tif 000014